(57)【要約】【課題】残菜フィルタによる洗浄水の濾過効率を向上させつつ、残菜フィルタの目詰まりによって洗浄水の循環が阻害されることを、簡易な構成で抑制することができる食器洗い機を提供する。【解決手段】洗浄水は洗浄槽１２の底部から洗浄ポンプに吸入されて、洗浄槽１２に収容された食器へ噴射される。洗浄槽１２底部には、粗いメッシュの残菜フィルタ２１が下部に、細かいメッシュの残菜フィルタ２２が上部に、夫々備えられている。洗浄水は、残菜フィルタ２１に濾過され（矢符Ａ１）、更に残菜フィルタ２２に濾過される（矢符Ａ２）か、又は、残菜フィルタ２１を迂回して（矢符Ａ３）、残菜フィルタ２２に濾過される（矢符Ａ２）。このため、１枚の残菜フィルタ２１（２２）が越し取るべき残菜の量が減少し、目詰まりが生じ難い。また、目の細かい残菜フィルタ２２が目詰まりを起こしても、目の粗い残菜フィルタ２１によって洗浄水が濾過される。【選択図】図３
2008011998.tif 000002
【特許請求の範囲】
【請求項１】
洗浄すべき食器が載置される食器籠と、
該食器籠を収容し、該食器籠に載置された食器を洗浄する洗浄水を貯留する洗浄槽と、
前記洗浄水を前記食器へ噴射するための噴射口が形成されている洗浄ノズルと、
前記洗浄槽に貯留された洗浄水を吸入し、吸入した洗浄水を前記噴射口から噴射させるための洗浄ポンプと、
前記洗浄槽に貯留されて前記洗浄ポンプに吸入されてから再び前記洗浄槽に貯留されて前記洗浄ポンプに吸入されるまでの洗浄水の循環経路の中途に配され、前記洗浄ポンプに吸入される洗浄水を濾過する第１の残菜フィルタと
を備える食器洗い機において、
前記循環経路の前記第１の残菜フィルタの配置位置よりも上流側に配され、前記第１の残菜フィルタへ流入する洗浄水の少なくとも一部を濾過する第２の残菜フィルタを備えることを特徴とする食器洗い機。
【請求項２】
前記第１の残菜フィルタは、該残菜フィルタの周縁部の略全部が、前記洗浄槽に接触しており、
前記第２の残菜フィルタは、該残菜フィルタの周縁部の一部が、前記洗浄槽に接触しており、残部が接触していないことを特徴とする請求項１に記載の食器洗い機。
【請求項３】
前記第２の残菜フィルタの少なくとも一部が、前記洗浄槽に貯留される洗浄水の最高水位より高い位置に配されていることを特徴とする請求項１又は２に記載の食器洗い機。
【請求項４】
各残菜フィルタはメッシュ状をなし、
前記第１の残菜フィルタの目の大きさと前記第２の残菜フィルタの目の大きさとが異なることを特徴とする請求項１乃至３の何れかひとつに記載の食器洗い機。
【請求項５】
各残菜フィルタは、前記循環経路の前記食器籠の配置位置よりも下流側に配されていることを特徴とする請求項１乃至４の何れかひとつに記載の食器洗い機。
【請求項６】
各残菜フィルタは着脱可能に配されており、
前記第１の残菜フィルタが前記第２の残菜フィルタの下側になるよう各残菜フィルタを連結し、該残菜フィルタを着脱する場合に摘持するための摘持部を備えることを特徴とする請求項１乃至５の何れかひとつに記載の食器洗い機。
【請求項７】
前記摘持部に連結されている残菜フィルタの内、少なくとも一の残菜フィルタが、他の残菜フィルタに対して接離可能に設けられていることを特徴とする請求項６に記載の食器洗い機。
【請求項８】
前記第２の残菜フィルタは、前記洗浄槽の側壁内面に配してあることを特徴とする請求項１乃至５の何れかひとつに記載の食器洗い機。
【請求項９】
前記洗浄槽の側壁の一部に前記洗浄槽を開閉する扉が設けてあり、
前記第２の残菜フィルタは、前記扉の内面に配してあることを特徴とする請求項８に記載の食器洗い機。
【発明の詳細な説明】
【技術分野】
【０００１】
本発明は、食器を洗浄する洗浄水を残菜フィルタで濾過する食器洗い機に関する。
【背景技術】
【０００２】
従来の食器洗い機にあっては、洗浄すべき食器を収容する食器籠と、食器籠内の食器を洗浄する洗浄水を貯留する洗浄槽と、洗浄水を食器へ噴射するための噴射口が形成された洗浄ノズルと、洗浄槽に貯留された洗浄水を循環させて噴射口から噴射させるための洗浄ポンプとを備える。
【０００３】
洗浄槽に貯留された洗浄水は、洗浄ポンプに吸入されて食器へ噴射され、次いで洗浄槽に貯留され、そして再び洗浄ポンプに吸入されて食器へ噴射されることによって、食器洗い機内部を循環する。
洗浄水の循環経路の中途には残菜フィルタが配され、残菜フィルタは洗浄水を濾過して洗浄水中の残菜（例えば食器に付着していた残飯）を濾し取る（特許文献１参照）。
【０００４】
図７は、従来の食器洗い機が備える洗浄槽８底部の略示正面図であり、図８は、同じく略示側面図である。
洗浄槽８の底部には、洗浄水を貯留する貯水部８１が設けられている。
貯水部８１の底部には、貯水部８１に貯留された洗浄水を吸入する洗浄ポンプ８３が、吸入ホース８２を介して連結されている。つまり、貯水部８１に貯留された洗浄水は、貯水部８１の底部から洗浄ポンプ８３によって吸入され、吐出ホース８５を介して洗浄ポンプ８３に連結されている洗浄ノズル８６から、洗浄槽８内の食器へ噴射される。
【０００５】
洗浄ノズル８６から噴射された洗浄水は、洗浄槽８内の食器を洗浄し、洗浄槽８の底部へ流入して、貯水部８１に貯留される。そして、貯水部８１に貯留された洗浄水は、再び洗浄ポンプ８３によって吸入される。
【０００６】
ここで、貯水部８１に貯留される洗浄水の水位は、洗浄ポンプ８３が作動していない場合、貯水部８１上部に位置する水位Ｗ２であり、洗浄ポンプ８３の作動中は、貯水部８１の上下方向中央部に位置する水位Ｗ３である。
【０００７】
さて、洗浄水に含まれる残菜を濾し取るために、貯水部８１底部には、貯水部８１にビス留め固定された固定フィルタ８７と、着脱可能に配された残菜フィルタ８８とが備えられている。
固定フィルタ８７は、貯水部８１と吸入ホース８２とを隔てるように配される。
残菜フィルタ８８は、固定フィルタ８７の上側に固定フィルタ８７から離隔して配される。
【０００８】
固定フィルタ８７及び残菜フィルタ８８は夫々メッシュ状であり、洗浄ポンプが作動しているか否かにかかわらず、貯水部８１に貯留されている洗浄水中に水没する。
【０００９】
貯水部８１に貯留された洗浄水は、残菜フィルタ８８及び固定フィルタ８７をこの順に通過して、吸入ホース８２を介し洗浄ポンプ８３に吸入される。残菜フィルタ８８及び固定フィルタ８７夫々の周縁部は貯水部８１の内面に接触しており、このため、洗浄水は、残菜フィルタ８８又は固定フィルタ８７を迂回して洗浄ポンプ８３に吸入されることはない。
【００１０】
残菜フィルタ８８には摘持部８９が設けられており、食器洗い機の使用者は、摘持部８９を摘持して残菜フィルタ８８を着脱する。また、使用者は、取り外した残菜フィルタ８８を清掃し、残菜フィルタ８８を取り外した状態で固定フィルタ８７を清掃する。
【特許文献１】特開２００４−３４４３８５号公報
【発明の開示】
【発明が解決しようとする課題】
【００１１】
しかしながら従来の食器洗い機は、洗浄ポンプ８３に吸入される洗浄水の循環経路上流側の残菜フィルタ８８が目詰まりを起こした場合、循環経路下流側の固定フィルタ８７を洗浄水が通過することができず、このため洗浄水の循環が阻害されるという問題があった。
【００１２】
残菜フィルタ８８の目詰まりを抑制するために、メッシュが粗い残菜フィルタ８８を用いた場合、残菜フィルタ８８を通過する残菜の量が増加し、固定フィルタ８７が目詰まりを起こすことがある。固定フィルタ８７は取り外しが困難であるため、固定フィルタ８７に付着した残菜は、取り外しが容易な残菜フィルタ８８に付着した残菜に比べて除去し難い。このため、更に固定フィルタ８７が目詰まりを生じ易くなる。
【００１３】
固定フィルタ８７が目詰まりを起こした場合も、洗浄水の循環が阻害される。固定フィルタ８７の目詰まりを抑制するために、メッシュが粗い固定フィルタ８７を用いた場合、固定フィルタ８７を通過した残菜が洗浄ポンプ８３に吸入され易くなるという不具合が生じる。
【００１４】
また、固定フィルタ８７及び残菜フィルタ８８夫々が濾し取る残菜の量を軽減して目詰まりを抑制し、洗浄水の濾過効率を向上させるために、固定フィルタ８７及び残菜フィルタ８８の寸法を大きくして濾過面積を大きくすることによって、単位面積あたりの固定フィルタ８７及び残菜フィルタ８８が濾し取る残菜の量を軽減して目詰まりを抑制することが考えられる。
しかしながら、食器洗い機内部のレイアウト上、各１枚の固定フィルタ８７及び残菜フィルタ８８のサイズには制限があるため、夫々の濾過面積を十分に増大させることができない。
【００１５】
そこで、寸法を大きくするのではなく、残菜フィルタ８８の上流側又は下流側に、更に１枚以上の残菜フィルタを追加することで、濾過面積の合計を増大させることが考えられる。この場合、各残菜フィルタが濾し取る残菜の量は、１枚の残菜フィルタ８８が濾し取る残菜の量より少ない。
【００１６】
しかしながら、完全に目詰まりを防止することは困難であり、また、洗浄水が残菜フィルタ８８及び追加の残菜フィルタを迂回できないよう設計されるため、万が一、上流側のフィルタに目詰まりを生じた場合、目詰まりを生じた残菜フィルタ８８又は追加の残菜フィルタによって洗浄水が塞き止められて、洗浄水が下流側へ流入することができず、洗浄水の循環が阻害されるという問題が残る。
【００１７】
更にまた、特許文献１に開示されている食器洗い機が備える残菜フィルタは、残菜フィルタが濾し取った残菜を排水と共に流し出すことによって残菜フィルタの目詰まりを抑制しているが、このために、残菜フィルタの位置を自動的に変更する機構を備える必要があり、食器洗い機の構成が複雑になる。
【００１８】
本発明は斯かる事情に鑑みてなされたものであり、その主たる目的は、複数の残菜フィルタを、上流側の残菜フィルタが下流側の残菜フィルタに流入する洗浄水の少なくとも一部を濾過するよう配する構成とすることにより、残菜フィルタによる洗浄水の濾過効率を向上させつつ、残菜フィルタの目詰まりによって洗浄水の循環が阻害されることを、簡易な構成で抑制することができる食器洗い機を提供することにある。
【００１９】
本発明の他の目的は、下流側の残菜フィルタの周縁部の略全部が洗浄槽に接触し、上流側の残菜フィルタの周縁部の一部が洗浄槽に接触しない構成とすることにより、第２の残菜フィルタを通過することなく第１の残菜フィルタへ洗浄水が流入する経路を設けることができ、しかも残菜を容易に濾し取ることができる食器洗い機を提供することにある。
【００２０】
本発明の他の目的は、第２の残菜フィルタの少なくとも一部を、洗浄槽に貯留される洗浄水の最高水位より高い位置に配する構成とすることにより、第２の残菜フィルタが濾し取った残菜が第２の残菜フィルタから流出することを抑制することができる食器洗い機を提供することにある。
【００２１】
本発明の他の目的は、第１の残菜フィルタのメッシュ形状と第２の残菜フィルタのメッシュ形状とが異なる構成とすることにより、効率よく残菜を濾し取ることができる食器洗い機を提供することにある。
【００２２】
本発明の他の目的は、各残菜フィルタを食器籠の下流側に配する構成とすることにより、効率よく残菜を濾し取ることができる食器洗い機を提供することにある。
【００２３】
本発明の他の目的は、着脱可能な各残菜フィルタを摘持部で連結する構成とすることにより、各残菜フィルタを容易に着脱することができる食器洗い機を提供することにある。
【００２４】
本発明の他の目的は、着脱可能な各残菜フィルタを、残菜フィルタ同士が相対接離可能に摘持部で連結する構成とすることにより、各残菜フィルタをコンパクトにまとめて更に容易に着脱することができる食器洗い機を提供することにある。
【００２５】
本発明の他の目的は、第２の残菜フィルタを、洗浄槽の側壁内面に配する構成とすることにより、洗浄槽の側壁内面に飛散した残菜を濾し取ることができる食器洗い機を提供することにある。
【００２６】
本発明の更に他の目的は、第２の残菜フィルタを、洗浄槽を開閉する扉の内面に配する構成とすることにより、第２の残菜フィルタに付着した残菜を清掃し易い食器洗い機を提供することにある。
【課題を解決するための手段】
【００２７】
本発明に係る食器洗い機は、洗浄すべき食器が載置される食器籠と、該食器籠を収容し、該食器籠に載置された食器を洗浄する洗浄水を貯留する洗浄槽と、前記洗浄水を前記食器へ噴射するための噴射口が形成されている洗浄ノズルと、前記洗浄槽に貯留された洗浄水を吸入し、吸入した洗浄水を前記噴射口から噴射させるための洗浄ポンプと、前記洗浄槽に貯留されて前記洗浄ポンプに吸入されてから再び前記洗浄槽に貯留されて前記洗浄ポンプに吸入されるまでの洗浄水の循環経路の中途に配され、前記洗浄ポンプに吸入される洗浄水を濾過する第１の残菜フィルタとを備える食器洗い機において、前記循環経路の前記第１の残菜フィルタの配置位置よりも上流側に配され、前記第１の残菜フィルタへ流入する洗浄水の少なくとも一部を濾過する第２の残菜フィルタを備えることを特徴とする。
【００２８】
本発明に係る食器洗い機は、前記第１の残菜フィルタは、該残菜フィルタの周縁部の略全部が、前記洗浄槽に接触しており、前記第２の残菜フィルタは、該残菜フィルタの周縁部の一部が、前記洗浄槽に接触しており、残部が接触していないことを特徴とする。
【００２９】
本発明に係る食器洗い機は、前記第２の残菜フィルタの少なくとも一部が、前記洗浄槽に貯留される洗浄水の最高水位より高い位置に配されていることを特徴とする。
【００３０】
本発明に係る食器洗い機は、各残菜フィルタはメッシュ状をなし、前記第１の残菜フィルタの目の大きさと前記第２の残菜フィルタの目の大きさとが異なることを特徴とする。
【００３１】
本発明に係る食器洗い機は、各残菜フィルタは、前記循環経路の前記食器籠の配置位置よりも下流側に配されていることを特徴とする。
【００３２】
本発明に係る食器洗い機は、各残菜フィルタは着脱可能に配されており、前記第１の残菜フィルタが前記第２の残菜フィルタの下側になるよう各残菜フィルタを連結し、該残菜フィルタを着脱する場合に摘持するための摘持部を備えることを特徴とする。
【００３３】
本発明に係る食器洗い機は、前記摘持部に連結されている残菜フィルタの内、少なくとも一の残菜フィルタが、他の残菜フィルタに対して接離可能に設けられていることを特徴とする。
【００３４】
本発明に係る食器洗い機は、前記第２の残菜フィルタは、前記洗浄槽の側壁内面に配してあることを特徴とする。
【００３５】
本発明に係る食器洗い機は、前記洗浄槽の側壁の一部に前記洗浄槽を開閉する扉が設けてあり、前記第２の残菜フィルタは、前記扉の内面に配してあることを特徴とする。
【００３６】
本発明にあっては、複数の残菜フィルタを備え、洗浄ポンプに吸入される洗浄水を濾過する第１の残菜フィルタの上流側に、第１の残菜フィルタへ流入する洗浄水の少なくとも一部を濾過する第２の残菜フィルタが配される。
【００３７】
洗浄槽は、洗浄すべき食器が載置される食器籠を収容し、食器籠に載置された食器を洗浄する洗浄水を貯留する。
洗浄ノズルには、洗浄水を食器へ噴射するための噴射口が形成されており、洗浄ポンプは、洗浄槽に貯留された洗浄水を吸入し、吸入した洗浄水を洗浄ノズルの噴射口から噴射させる。
【００３８】
第２の残菜フィルタも、第１の残菜フィルタと同様に、洗浄ポンプに吸入されてから再び吸入されるまでの洗浄水の循環経路の中途に配される。そして、第２の残菜フィルタは、第１の残菜フィルタへ流入する洗浄水の少なくとも一部（即ち一部又は全部）を濾過する。
このため、第１の残菜フィルタが濾過する洗浄水は、第２の残菜フィルタによって予め濾過された洗浄水か、第２の残菜フィルタが濾過していない洗浄水である。
【００３９】
つまり、洗浄水に含まれる残菜は、第１又は第２の残菜フィルタによって濾し取られるため、第１の残菜フィルタが濾し取る残菜の量は、第２の残菜フィルタを備えない場合よりも軽減される。
また、一般に上流側に配されている第２の残菜フィルタの方が、下流側に配されている第１の残菜フィルタよりも先に目詰まりを起こすが、第２の残菜フィルタが目詰まりを起こした場合でも、洗浄水が第２の残菜フィルタを通過せずに、第２の残菜フィルタを迂回して、第１の残菜フィルタに流入するため、洗浄水の循環は阻害されない。
【００４０】
本発明にあっては、洗浄ポンプに吸入される洗浄水を濾過する第１の残菜フィルタは、周縁部の略全部が洗浄槽に接触しているため、洗浄水が第１の残菜フィルタに濾過されることなく第１の残菜フィルタを迂回して洗浄ポンプに吸入されることはない。
【００４１】
また、第１の残菜フィルタの上流側に配されている第２の残菜フィルタは、周縁部の一部が洗浄槽に接触し、残部が接触していないため、洗浄槽に接触していない部分と洗浄槽との間を通り抜けて、第１の残菜フィルタへ流入する洗浄水の一部が、第２の残菜フィルタに濾過されることなく第２の残菜フィルタを迂回して第１の残菜フィルタへ流入する。また、第１の残菜フィルタへ流入する洗浄水の他部は、第２の残菜フィルタに濾過されてから第１の残菜フィルタへ流入する。
【００４２】
本発明にあっては、第２の残菜フィルタの少なくとも一部（即ち一部又は全部）が、洗浄槽に貯留される洗浄水の最高水位より高い位置に配される。
仮に、第２の残菜フィルタが、洗浄槽に貯留される洗浄水に、略全部水没する場合、第２の残菜フィルタが濾し取った残菜が洗浄水中に浮き上がり、第２の残菜フィルタから流出し、更に、第２の残菜フィルタを迂回して、第１の残菜フィルタに流入することがある。
逆に、第２の残菜フィルタの一部又は全部を水没させない場合、第２の残菜フィルタの水没していない部分に、第２の残菜フィルタが濾し取った残菜が付着して、この残菜が第２の残菜フィルタから流出することが抑制される。
【００４３】
ここで、洗浄槽の最高水位は、洗浄槽の貯留限界の水位でもよいが、食器の洗浄工程、すすぎ工程等で洗浄槽に実際に貯留される洗浄水の最高水位であることが望ましい。この水位は、洗浄槽の貯留限界の水位よりも低い水位であって、洗浄槽から洗浄水が漏出することを抑制し、また、過剰な量の洗浄水が使用されることを抑制しつつ必要充分な量の洗浄水が使用可能であるよう設定される。
【００４４】
本発明にあっては、各残菜フィルタがメッシュ状であり、第１の残菜フィルタの網目の大きさと、第２の残菜フィルタの網目の大きさとが異なる。
好ましくは、洗浄ポンプに吸入される洗浄水を濾過する第１の残菜フィルタ、即ち洗浄水の循環経路において、洗浄ポンプの吸入側に近い位置に配される残菜フィルタのメッシュを粗くする。この場合、洗浄ポンプが洗浄水を吸入し易くなり、洗浄水の循環が更に円滑になる。
【００４５】
そして、第１の残菜フィルタの上流側、即ち洗浄水の循環経路において、洗浄ポンプの吸入側から遠い位置に配される第２の残菜フィルタのメッシュを細かくする。この場合、第２の残菜フィルタが大型の残菜は勿論、小型の残菜も濾し取り易くなる。たとえ第２の残菜フィルタが残菜によって目詰まりを起こしたとしても、第１の残菜フィルタが洗浄水を濾過し、洗浄水の循環が阻害されることが抑制される。
【００４６】
本発明にあっては、貯水部に貯留された洗浄水が洗浄ポンプに吸入され、洗浄ポンプによって洗浄ノズルから食器籠に載置されている食器へ噴射され、流れ落ちたり滴り落ちたりして貯水部に貯留され、再び洗浄ポンプに吸入される循環経路における食器籠の配置位置よりも下流側（例えば食器籠の下方）に、各残菜フィルタが配されている。
残菜は主に食器に付着しているため、食器へ噴射されてから貯水部に貯留される洗浄水には残菜が含まれる。即ち、洗浄水の循環経路における食器籠の配置位置よりも下流側を循環する洗浄水に残菜が含まれるため、この洗浄水を濾過すべく各残菜フィルタを配する。
【００４７】
本発明にあっては、第１及び第２のフィルタは着脱可能に配されており、摘持部によって連結されている。
摘持部は、残菜フィルタを着脱する場合に、食器洗い機の使用者によって摘持される。使用者は、摘持部を摘持して複数の残菜フィルタを一度に食器洗い機から取り外し、取り外した残菜フィルタを清掃し、清掃した複数の残菜フィルタを、摘持部を摘持して一度に食器洗い機に取り付ける。
また、第１の残菜フィルタが第２の残菜フィルタの下側になるよう各残菜フィルタが連結されているため、一般に上から下へ流れる洗浄水の上流側に第２の残菜フィルタが、そして下流側に第１の残菜フィルタが、夫々容易に配される。
【００４８】
本発明にあっては、第１及び第２のフィルタは着脱可能に配されており、少なくとも一の残菜フィルタが、他の残菜フィルタに対して接離可能に、摘持部によって連結されている。
使用者が、摘持部を摘持して複数の残菜フィルタを一度に食器洗い機から取り外した場合、摘持部に連結されている残菜フィルタの内、一の残菜フィルタが、他の残菜フィルタに接近する。このため、複数の残菜フィルタがコンパクトに取り外される。また、使用者は、摘持部に連結されている残菜フィルタの内、一の残菜フィルタを他の残菜フィルタから離隔させて、夫々容易に清掃する。
【００４９】
更にまた、使用者が、摘持部を摘持して複数の残菜フィルタを一度に食器洗い機に取り付ける場合、残菜フィルタを取り外す場合と同様に、複数の残菜フィルタがコンパクトに取り付けられる。また、使用者は、摘持部に連結されている残菜フィルタの内、一の残菜フィルタを他の残菜フィルタから離隔させて、夫々適切な位置に配置する。
【００５０】
本発明にあっては、洗浄槽の側壁内面に、第２の残菜フィルタが配してある。
洗浄槽の側壁内面には、洗浄ノズルから噴射された洗浄水、及び食器から剥ぎ取られた残菜が飛散し、飛散した洗浄水に混じって、側壁内面に沿い、残菜が流れ落ちる。このように、側壁内面に沿って流れ落ちる残菜を、洗浄槽の側壁内面に配された第２のフィルタが濾し取る。
【００５１】
本発明にあっては、洗浄槽の側部の一部に、洗浄槽を開閉する扉が設けてあり、この扉に、第２の残菜フィルタが配してある。
第２の残菜フィルタは、扉を開放した場合の洗浄槽の開口近傍に配されているため、食器洗い機の使用者が、例えば第２の残菜フィルタを取り外して清掃する際に、洗浄槽の奥側（即ち洗浄槽の開口から遠い位置）まで第２の残菜フィルタを取り外しにいく必要がない。
【発明の効果】
【００５２】
本発明の食器洗い機による場合、洗浄水に含まれる残菜を、第１及び第２の残菜フィルタによって濾過するため、各残菜フィルタが濾し取る残菜の量を軽減させることができ、各残菜フィルタの目詰まりを抑制して、残菜フィルタによる洗浄水の濾過効率を向上させることができる。
【００５３】
また、第２の残菜フィルタが目詰まりを起こした場合でも、第１の残菜フィルタに洗浄水が流入するため、洗浄水の循環が阻害されることが抑制される。このため、例えば洗浄ポンプが洗浄水を吸入できずに空運転される、洗浄ノズルから十分な洗浄水が噴出されず食器が十分に洗浄されない等の不具合を抑制することができる。
【００５４】
しかも、例えば残菜フィルタの位置を自動的に変更する手段を必要としないため、食器洗い機の構成が簡易である。
【００５５】
本発明の食器洗い機による場合、第２の残菜フィルタと洗浄槽との間に空隙を設けることによって、洗浄水が第２の残菜フィルタを迂回して第１の残菜フィルタへ流入する経路を設けることができる。
また、各残菜フィルタの周縁の略全部又は一部が洗浄槽に接触しているため、洗浄槽に沿って洗浄水が残菜フィルタへ円滑に流入することができ、このため、洗浄水に含まれる残菜を容易に濾し取ることができる。
【００５６】
本発明の食器洗い機による場合、第２の残菜フィルタの少なくとも一部を水没させないことによって、第２の残菜フィルタが濾し取った残菜が第２の残菜フィルタから流出することを抑制することができる。このため、第２の残菜フィルタが濾し取った残菜が第１の残菜フィルタへ流入することはほとんどない。即ち、第１の残菜フィルタが濾し取る残菜の量を軽減させることができ、第１の残菜フィルタの目詰まりを抑制して、洗浄水の濾過効率を向上させ、洗浄水の循環が阻害されることを抑制することができる。
【００５７】
本発明の食器洗い機による場合、メッシュ形状が異なる残菜フィルタによって効率よく残菜を濾し取ることができる。
【００５８】
本発明の食器洗い機による場合、各残菜フィルタが残菜を含む洗浄水を濾過することによって、効率よく残菜を濾し取ることができる。例えば、食器籠の下方に各残菜フィルタを配することによって、食器籠と各残菜フィルタとが当接することなく、食器籠及び各残菜フィルタの両方を十分なサイズに設けることができる。
【００５９】
本発明の食器洗い機による場合、摘持部を摘持することによって、複数の残菜フィルタを一度に取り外すことができ、同様に、複数の残菜フィルタを一度に、各残菜フィルタを適切に配置しつつ取り付けることができる。
【００６０】
本発明の食器洗い機による場合、複数の残菜フィルタを接近させてコンパクトにまとめて一度に取り外すことができる。また、複数の残菜フィルタを接近させてコンパクトにまとめて一度に取り付けることができ、しかも、複数の残菜フィルタを離隔させて夫々適切に配置することができる。
【００６１】
本発明の食器洗い機による場合、洗浄槽の側壁内面に飛散した残菜を、側壁内面に配された第２の残菜フィルタで濾し取ることができる。このような残菜は、軽く細かい残菜であることが多いため、第２の残菜フィルタの目を細かくして、残菜を確実に濾し取ることができる。
洗浄槽の側壁内面に配される第２の残菜フィルタは、一般に洗浄槽の底部近傍に配される洗浄ポンプの近傍にはないため、第２の残菜フィルタの目が非常に細かい場合でも、洗浄ポンプによる洗浄水の吸い込みを阻害することはない。
【００６２】
本発明の食器洗い機による場合、第２の残菜フィルタを、洗浄槽を開閉する扉に配するため、第２の残菜フィルタに付着した残菜が清掃し易い。このため、食器洗い機を容易に清浄に保つことができる。また、第２の残菜フィルタを清掃する使用者の利便性も向上させることができる。
【発明を実施するための最良の形態】
【００６３】
以下、本発明を、その実施の形態を示す図面に基づいて詳述する。
【００６４】
実施の形態  １．
図１は、本発明の実施の形態１に係る食器洗い機１０１の略示正面図である。
図２は、食器洗い機１０１が備える洗浄槽１２底部の略示正面図であり、図３は、同じく略示側面図である。
本実施の形態における食器洗い機１０１は、食器洗浄機能と食器乾燥機能とを有する。
【００６５】
図１に示すように、食器洗い機１０１は、洗浄すべき食器Ｄ，Ｄ，…が載置される食器籠１１を収容し、食器籠１１に載置された食器Ｄ，Ｄ，…を洗浄する洗浄水を貯留する洗浄槽１２を、筐体１０内部に備えている。
【００６６】
また、食器洗い機１０１は、洗浄水を食器Ｄ，Ｄ，…へ噴射するための噴射口が形成されている洗浄ノズル１３，１３，１６を備える。
洗浄ノズル１３，１３は、噴射の反作用で回転するように構成されており、洗浄槽１２の底部近傍に配されている。食器籠１１は、洗浄ノズル１３，１３の上側に、支持レールを用いて支持されている。つまり、洗浄ノズル１３，１３は、食器籠１１の下側から食器Ｄ，Ｄ，…へ洗浄水を噴射する。
洗浄ノズル１６は、洗浄槽１２の天部近傍に配されており、食器籠１１の上側から食器Ｄ，Ｄ，…へ洗浄水を噴射する。
【００６７】
食器洗い機１０１は、洗浄槽１２に貯留された洗浄水を吸入し、吸入した洗浄水を洗浄ノズル１３，１３，１６の噴射口から噴射させるための洗浄ポンプ１４と、ヒータ部１５と、食器洗い機１０１各部の作動を制御する制御装置１６とを備えている。
【００６８】
洗浄槽１２の底部は一部が凹状であって、この凹状部分が、洗浄水を貯留する貯水部１２１である。貯水部１２１の内部形状は、水平断面形状が矩形状である。
【００６９】
さて、洗浄槽１２に貯留される洗浄水の最高水位は、図２及び図３に示す最高水位Ｗ０であり、最高水位Ｗ０は貯水部１２１内部の水位である。即ち、洗浄槽１２に貯留される洗浄水は、主として貯水部１２１に貯留される。
また、洗浄ポンプの作動中は、貯水部１２１に貯留されている洗浄水が連続的に吸入されて洗浄ノズル１３，１３，１６から噴射されるため、貯水部１２１内部の水位は水位Ｗ１に減少する。水位Ｗ１は、最高水位Ｗ０よりも低いが、貯水部１２１底部からは十分離隔している。
【００７０】
ヒータ部１５は貯水部１２１内に配してあり、貯水部１２１に貯留されている洗浄水、又はこの洗浄水が略完全に排水されている状態での貯水部１２１内の空気を加熱するヒータと、ヒータを被覆して、ヒータと洗浄水及び空気以外の物（例えば使用者の手）との不用な接触を防止するケースとを備える。
つまり、ヒータ部１５は、後述するように、食器Ｄ，Ｄ，…の洗浄及び乾燥の両方に利用される。
【００７１】
ヒータ部１５に加熱されて温度が上昇した洗浄水は、洗浄効果が向上される。このために、後述するような洗浄水の循環経路の途上に図示しない水温センサを設けて水温を検出し、検出した水温に基づいて、制御装置１６がヒータ部１５の加熱温度、加熱時間等を制御する。
【００７２】
図１及び図２に示すように、洗浄ポンプ１４には、洗浄ポンプ１４を駆動させる洗浄モータ１４１と、洗浄ポンプ１４が洗浄ポンプ１４内へ洗浄水を吸入するための吸入ホース１４２と、吸入した洗浄水を洗浄ノズル１３，１３，１６へ、図示しない分配弁を介して加圧水を吐き出すための吐出ホース１４３と、吸入した洗浄水を排水口１４４ａから食器洗い機１０１外部へ排出するための排水ホース１４４とが連結されている。
【００７３】
吐出ホース１４３からの洗浄水の吐き出しと、排水ホース１４４からの洗浄水の排出とは、制御装置１６によって分配弁の向きが切り替えられて、何れか一方が実行されるようにしてある。
【００７４】
貯水部１２１の底部には矩形状の開口１２１ａが形成されている。図１〜図３に示すように、貯水部１２１の底部には、貯水部１２１の底部の開口１２１ａから排出される洗浄水を受け止める水受け１２２が設けられており、この水受け１２２の側壁に、吸入ホース１４２が連結されている。
水受け１２２の内部形状は、水平断面形状が矩形状である。
【００７５】
水受け１２２内部には、水受け１２２の側壁の吸入ホース１４２の連結位置の上側にその周縁部がビス留め固定されている固定フィルタ２０が備えられている。固定フィルタ２０はメッシュ状であり、固定フィルタ２０の存在が洗浄ポンプ１４による洗浄水の吸入を阻害せず、しかも残菜を濾し取るために必要十分な粗い網目を有する。
【００７６】
固定フィルタ２０は、水受け１２２の内部形状と略同寸法の矩形状であり、固定フィルタ２０の周縁部は、略全周が水受け１２２の側壁に接触しており、このため、洗浄水は、固定フィルタ２０を迂回して吸入ホース１４２へ流入することはない。
固定フィルタ２０は、水受け１２２内の洗浄水に完全に水没する。
【００７７】
更に、貯水部１２１内には、洗浄ポンプ１４に吸入される洗浄水を濾過して、この洗浄水に含まれる残菜を濾し取る残菜フィルタ２１が固定フィルタ２０の上側に配され、残菜フィルタ２１の上側に、残菜フィルタ２１へ流入する洗浄水の少なくとも一部を濾過する残菜フィルタ２２が配されている。即ち、残菜フィルタ２１，２２は、洗浄槽１２の貯水部１２１に貯留されて洗浄ポンプ１４に吸入されてから再び洗浄槽１２の貯水部１２１に貯留されて洗浄ポンプ１４に吸入されるまでの洗浄水の循環経路の中途に配されている。
【００７８】
ここで、貯水部１２１の底部側（水受け１２２側）は洗浄水の循環経路の下流側であり、貯水部１２１の天部側（食器籠１１側）は上流側である。即ち、残菜フィルタ２１は第１の残菜フィルタであり、第２の残菜フィルタである残菜フィルタ２２は、洗浄水の循環経路の残菜フィルタ２１の配置位置よりも上流側に配されている。また、残菜フィルタ２１，２２は、洗浄水の循環経路の食器籠１１の配置位置よりも下流側に配されている。
【００７９】
残菜フィルタ２１，２２は、貯水部１２１内に集約されているため、食器洗い機１０１の他部（例えば食器籠１１）に当接することなく、コンパクトに配される。また、このため、残菜フィルタ２１，２２夫々のサイズと、例えば食器籠１１のサイズとが、可及的大型に設けられ、各残菜フィルタ２１，２２の濾過面積が増大し、食器籠１１の食器Ｄ，Ｄ，…載置量が増大する。
【００８０】
以下、残菜フィルタ２１，２２について更に詳細に説明する。
残菜フィルタ２１，２２夫々は、金属製の枠部材２１ｂ，２２ｂにメッシュ状のフィルタ部材２１ａ，２２ａが取り付けられてなる。残菜フィルタ２１の網目は固定フィルタ２０の網目より細かく、残菜フィルタ２２の網目は残菜フィルタ２１の網目より細かい。
つまり、各メッシュ状である残菜フィルタ２１の目の大きさと残菜フィルタ２２の目の大きさとが異なる。
また、残菜フィルタ２１，２２夫々は、洗浄水中では浮かび上がらないだけの十分な重量を有する。
【００８１】
残菜フィルタ２１は、貯水部１２１の底部の開口１２１ａより大きい寸法を有する矩形平板状であり、残菜フィルタ２１のフィルタ部材２１ａが貯水部１２１の底部の開口１２１ａを略完全に被覆して、残菜フィルタ２１の枠部材２１ｂ、即ち残菜フィルタ２１の周縁部が、貯水部１２１の底部に接触している。
【００８２】
ただし、残菜フィルタ２１は固定フィルタ２０とは異なり、ビス留めされておらず、残菜フィルタ２１の枠部材２１ｂが、貯水部１２１の底部に載置されているだけである。このため、残菜フィルタ２１は貯水部１２１の底部に対し容易に着脱される。
【００８３】
貯水部１２１の底部に接触している残菜フィルタ２１は、貯水部１２１の底部の高さ、即ち水位Ｗ１よりも低い位置に配されているため、洗浄ポンプ１４が作動中であるか否かに関わらず、貯水部１２１に貯留される洗浄水に完全に水没する。
残菜フィルタ２１は十分な重量を有するため、貯水部１２１の底部に載置しただけでも、洗浄水に浮かんで流されて位置ズレを生じることはない。
【００８４】
残菜フィルタ２２は、残菜フィルタ２１よりもやや大きい寸法を有する矩形皿状であり、残菜フィルタ２２のフィルタ部材２２ａが皿の底部に相当し、残菜フィルタ２２の枠部材２２ｂが皿の周縁部に相当して、枠部材２２ｂの高さがフィルタ部材２２ａの高さより高くなるよう形成されている。
フィルタ部材２２ａは、残菜フィルタ２１のフィルタ部材２１ａの真上側に配され、また、枠部材２２ｂ、即ち残菜フィルタ２２の周縁部に関し、矩形の４辺の内の３辺が、貯水部１２１の側部に接触している。
【００８５】
更に詳細には、貯水部１２１の側部には、残菜フィルタ２２を載置すべき載置部１２１ｂが設けてある。載置部１２１ｂは、貯水部１２１の内側に突出するように設けられており、平面視コ字状であって、残菜フィルタ２２は、残菜フィルタ２２の枠部材２２ｂの３辺が、残菜フィルタ２１同様ビス留めされずに貯水部１２１の載置部１２１ｂ上に載置される。このため、残菜フィルタ２２は貯水部１２１の載置部１２１ｂ上に対し容易に着脱される。
つまり、残菜フィルタ２２は、残菜フィルタ２２の周縁部の一部が洗浄槽１２の貯水部１２１に接触しており、残部が接触していない。
【００８６】
貯水部１２１の載置部１２１ｂは、最高水位Ｗ０と略同じ高さに形成されている。つまり、残菜フィルタ２２の一部である枠部材２２ｂが、載置部１２１ｂ上に載置されることによって、洗浄槽１２の貯水部１２１の最高水位Ｗ０より高い位置に配されている。
このため、貯水部１２１に最高水位Ｗ０まで洗浄水が貯留された場合でも、枠部材２２ｂは水面上にある。また、洗浄ポンプ１４が作動して、貯水部１２１の水位が最高水位Ｗ０未満（例えば水位Ｗ１）まで低下した場合は、残菜フィルタ２２の全部（フィルタ部材２２ａ及び枠部材２２ｂの両方）が水面上にある。
【００８７】
残菜フィルタ２２は十分な重量を有するため、貯水部１２１の載置部１２１ｂ上に載置しただけでも、洗浄水に浮かんで流されて位置ズレを生じることはない。
【００８８】
そしてまた、残菜フィルタ２１，２２夫々は、周縁部の一部が、金属製の平板状の摘持部２３に固定されている。つまり、摘持部２３は、残菜フィルタ２１が残菜フィルタ２２の下側になるよう残菜フィルタ２１，２２を連結している。また、摘持部２３は、残菜フィルタ２１，２２を着脱する場合に、食器洗い機１０１の使用者によって摘持される。
【００８９】
次に、図１〜図３を用いて、洗浄水の循環と、洗浄水に含まれる残菜の濾過について説明する。
食器Ｄ，Ｄ，…の洗浄工程又はすすぎ工程で、制御装置１６によって給水弁１７０が開放され、給水ホース１７１を通って給水口１７２から洗浄槽１２へ、洗浄水としての水道水が供給され、洗浄槽１２の貯水部１２１に貯留される。このとき、貯水部１２１には、貯留された洗浄水が最高水位Ｗ０に達するまで給水される。
【００９０】
貯水部１２１に貯留された洗浄水は、ヒータ部１５によって加熱される。このため、洗浄水の洗浄効率が向上する。また、洗浄工程においては洗浄水に洗剤を混入してもよい。
【００９１】
そして、貯水部１２１に貯留された洗浄水は、水受け１２２、及び吸入ホース１４２をこの順に通過して、洗浄ポンプ１４に吸入され、加圧されて、吐出ホース１４３を介し、洗浄ノズル１３，１３，１６から、洗浄槽１２内面、食器籠１１、食器籠１１上の食器Ｄ，Ｄ，…等に満遍なく噴射される。
食器Ｄ，Ｄ，…に付着していた残菜は、食器Ｄ，Ｄ，…の洗浄によって洗浄水に混入し、残菜が混入した洗浄水は、食器籠１１の下流側へ流出する。
【００９２】
残菜が混入した洗浄水の一部は、残菜フィルタ２２に濾過され（図２及び図３の白抜矢符Ａ１）、混入していた残菜は、残菜フィルタ２２に濾し取られる。
残菜フィルタ２２の網目は非常に細かいため、残菜フィルタ２２に濾過された洗浄水には残菜はほとんど含まれない。
残菜フィルタ２２に濾過された洗浄水は、残菜フィルタ２１に濾過され（図２及び図３の白抜矢符Ａ２）、更に固定フィルタ２０に濾過されて、水受け１２２、及び吸入ホース１４２をこの順に通過して、洗浄ポンプ１４に吸入される。
【００９３】
残菜が混入した洗浄水の他部は、残菜フィルタ２２の貯水部１２１に接触していない周縁部と貯水部１２１との間を抜けるように残菜フィルタ２２を迂回して（図３の白抜矢符Ａ３）、残菜フィルタ２１に濾過される（図２及び図３の白抜矢符Ａ２）。洗浄水に混入していた残菜は、残菜フィルタ２１に濾し取られる。
残菜フィルタ２１の網目は細かいため、残菜フィルタ２１に濾過された洗浄水には残菜はほとんど含まれない。
【００９４】
残菜フィルタ２１に濾過された洗浄水は、更に固定フィルタ２０に濾過されて、水受け１２２、及び吸入ホース１４２をこの順に通過して、洗浄ポンプ１４に吸入される。
【００９５】
このように、洗浄水の循環経路の上流側で、網目が非常に細かい残菜フィルタ２２が洗浄水を濾過するため、残菜フィルタ２２を迂回する残菜の量、及び残菜フィルタ２２を通過する残菜の量が減少し、この結果、残菜フィルタ２１が濾し取るべき残菜の量が軽減されて目詰まりが抑制され、洗浄水の濾過効率が向上される。
また、洗浄水の循環経路の上流側で、網目が細かい残菜フィルタ２１が洗浄水を濾過するため、固定フィルタ２０が濾し取るべき残菜の量が軽減されて目詰まりが抑制され、洗浄水の濾過効率が向上される。
【００９６】
万一、残菜フィルタ２２が目詰まりを起こした場合でも、洗浄水は残菜フィルタ２２を迂回して残菜フィルタ２１及び固定フィルタ２０に濾過されるため、洗浄水に含まれる残菜が吸入ホース１４２、洗浄ポンプ１４、吐出ホース１４３、洗浄ノズル１３，１３，１６、排水ホース１４４を詰まらせることが抑制される。また、洗浄ポンプ１４に吸入された残菜が水圧で細かく粉砕されて、更に濾し取り難くなることが抑制される。更にまた、残菜が排水ホース１４４を介して食器洗い機１０１外部へ排出されることが抑制される。
【００９７】
また、洗浄水が円滑に濾過されるため、目詰まりによって洗浄ポンプ１４が洗浄水を吸入できずに空運転されることが抑制される。
【００９８】
固定フィルタ２０及び残菜フィルタ２１は、完全に洗浄水に水没しているため、濾し取った残菜が再び洗浄水中へ戻ることがあるが、夫々の周縁部が水受け１２２及び貯水部１２１に接触しているため、この残菜が下流側へ流出することが抑制されている。
仮に、残菜フィルタ２２が完全に水没している場合、濾し取った残菜が洗浄水中へ戻り、残菜フィルタ２２を迂回して下流側へ流出することがあるが、本実施の形態においては、少なくとも残菜フィルタ２２の周縁部が常に水面上にあるため、洗浄水の水位が最高水位Ｗ０であっても、濾し取った残菜が洗浄水中へ流れ出すことが抑制されている。
【００９９】
食器Ｄ，Ｄ，…の洗浄工程又はすすぎ工程の終了後、貯水部１２１に貯留された洗浄水は、水受け１２２及び吸入ホース１４２をこの順に通過して、洗浄ポンプ１４によって、排水ホース１４４を介し、排水口１４４ａから食器洗い機１０１外部へ排出される。
【０１００】
食器Ｄ，Ｄ，…の洗浄工程又はすすぎ工程の完了後、食器洗い機１０１は乾燥工程を実行する。
制御装置１６は、図示しない送風ファンを作動させて外気を貯水部１２１へ吸入する。このとき、貯水部１２１内の空気がヒータ部１５で加熱され、加熱された空気が洗浄槽１２内部へ送風されて、食器籠１１、食器Ｄ，Ｄ，…等の隙間を通り抜けて、洗浄槽１２上部に設けられた排気口１８０から食器洗い機１０１外部へ排出される。
このため、洗浄された食器Ｄ，Ｄ，…の乾燥が促進される。
【０１０１】
食器洗い機１０１の使用者は、洗浄槽１２の側壁の一部に設けられている図示しない扉を開放して洗浄及び乾燥が終了した食器Ｄ，Ｄ，…を取り出し、更に、摘持部２３を摘持して残菜フィルタ２１，２２を取り外し、残菜フィルタ２１，２２に付着している残菜、及び固定フィルタ２０に付着している残菜を取り除く。ここで、残菜フィルタ２１，２２がほとんどの残菜を濾し取るため、固定フィルタ２０に付着している残菜は少量であり、固定フィルタ２０の清掃は容易である。
【０１０２】
また、食器洗い機１０１内部から取り外された残菜フィルタ２１，２２の清掃も容易である。
使用者は、清掃した残菜フィルタ２１，２２を、摘持部２３を摘持して、洗浄槽１２の底部に取り付ける。残菜フィルタ２１，２２は摘持部２３に、残菜フィルタ２２を上側にして固定されているため、使用者が残菜フィルタ２１を貯水部１２１の底部に載置することによって、残菜フィルタ２１，２２は容易かつ正確に配置される。
【０１０３】
以上のような食器洗い機１０１は、食器洗い機１０１内に複数の残菜フィルタ２１，２２を設けることにより、限られたフィルタ設置場所で濾過面積の合計を最大限に設定することができる。このため、洗浄工程及びすすぎ工程において、目詰まりによって洗浄水の循環が阻害されること、及び洗浄水の十分な濾過が行われないことによる洗浄性能の低下を抑制することができる。
つまり、食器洗い機１０１は、洗浄水の濾過機能の向上、及び食器Ｄ，Ｄ，…の洗浄性能の向上が図られているため、食器洗い機１０１の信頼性を向上させることができる。
【０１０４】
また、残菜フィルタ２１，２２夫々は別体であるため、夫々に所望される濾過能力、夫々の設置場所等に応じて、残菜フィルタ２１，２２の形状、メッシュサイズ、材質等が選択される。つまり設計上の自由度が向上される。
【０１０５】
なお、残菜フィルタは２枚ではなく、３枚以上でもよい。この場合、例えば残菜フィルタ２２と千鳥配置にして、もう一枚の残菜フィルタ２２を備えることが考えられる。
【０１０６】
実施の形態  ２．
図４は、本発明の実施の形態２に係る食器洗い機１０２が備える洗浄槽１２底部の略示斜視図である。
また、図５は、食器洗い機１０２が備える残菜フィルタ３１，３２の略示側面図である。
【０１０７】
本実施の形態の食器洗い機１０２は、実施の形態１の食器洗い機１０１と略同様の構成である。以下では、食器洗い機１０２の食器洗い機１０１とは異なる部分に関して主に説明し、その他、実施の形態１に対応する部分には同一符号を付してそれらの説明を省略する。
【０１０８】
食器洗い機１０２は、実施の形態１の残菜フィルタ２１，２２の代わりに、貯水部１２１内に、残菜フィルタ３１，３２を備える。残菜フィルタ３１は残菜フィルタ２１同様、第１の残菜フィルタであり、残菜フィルタ３２は残菜フィルタ２２同様、第２の残菜フィルタである。
【０１０９】
残菜フィルタ３１，３２夫々は、金属製の枠部材３１ａ，３２ａにメッシュ状のフィルタ部材３１ｂ，３２ｂが取り付けられてなり、残菜フィルタ２２と同様の矩形皿状である。残菜フィルタ３１の網目は固定フィルタ２０の網目より細かく、残菜フィルタ３２の網目は残菜フィルタ３１の網目より細かい。
【０１１０】
また、残菜フィルタ３１，３２夫々は、回転軸部３４を介して摘持部３３に連結されており、連結された残菜フィルタ３１，３２及び摘持部３３の重量の合計は、洗浄水中では浮かび上がらないだけの十分な重量を有する。
具体的には、摘持部３３は、食器洗い機１０２の使用者が摘持し易いように、一辺部が膨張形状に形成された矩形板状であり、この一辺部に対向する他辺部が、回転軸部３４の軸長方向に沿って回転軸部３４に固定されている。
【０１１１】
また、残菜フィルタ３１の枠部材３１ａの一辺部が、摘持部３３から所定角度離隔して、回転軸部３４の軸長方向に沿って回転軸部３４に固定されている。
残菜フィルタ３２は、回転軸部３４に固定されている残菜フィルタ３１と摘持部３３との間に、残菜フィルタ３２の枠部材３２ａの一辺部が、回転軸部３４の軸長方向に沿って、回転軸部３４に対しヒンジ結合されている。
このため、残菜フィルタ３２は、残菜フィルタ３１に対して接離方向（図５の矢符方向）に回動可能である。
【０１１２】
残菜フィルタ３２が回動することにより、残菜フィルタ３２が残菜フィルタ３１上に重なって、残菜フィルタ３１，３２はコンパクトにまとめられる（閉じられる）。
残菜フィルタ３１の回転軸部３４方向の長さは、残菜フィルタ３２の回転軸部３４方向の長さよりも短い。
【０１１３】
図４に示すように、摘持部３３は、貯水部１２１内壁面及び洗浄槽１２内壁面に沿って配される。残菜フィルタ３２は実施の形態１の残菜フィルタ２２と略同サイズであり、図２及び図３に示すような載置部１２１ｂ上に載置される。このとき、閉じられていた残菜フィルタ３１，３２は、残菜フィルタ３２が残菜フィルタ３１から離隔する方向に回動することによって開く。そして、図４に示すように、残菜フィルタ３２と摘持部３３との角度は約９０°となる。
【０１１４】
残菜フィルタ３１の回転軸部３４方向の長さは、残菜フィルタ３２の回転軸部３４方向の長さよりも短いため、載置部１２１ｂに係止することなく、貯水部１２１底部側へ入り込む。
【０１１５】
ここで、残菜フィルタ３２に関し、回転軸部３４にヒンジ結合されている一辺部と、この一辺部に連続する二辺部、及び回転軸部３４は、貯水部１２１（具体的には載置部１２１ｂ）に接触する。また、残菜フィルタ３２に関し、回転軸部３４にヒンジ結合されている一辺部に対向する他辺部は貯水部１２１、延いては洗浄槽１２に接触しておらず、洗浄水は、この他辺部の側から残菜フィルタ３２を迂回して下流側へ流入することが可能である。
【０１１６】
また、残菜フィルタ３１は、回転軸部３４に固定されている一辺部が残菜フィルタ３２の配置位置と略同じ位置に配され、この一辺部に対向する他辺部が、貯水部１２１の底部に配される。このため、残菜フィルタ３１は、貯水部１２１内で傾斜して配される。上述の所定角度は、貯水部１２１に配された残菜フィルタ３１の傾斜角度に応じて設計される。
【０１１７】
勿論、残菜フィルタ３１のフィルタ部材３１ｂは、貯水部１２１の底部の開口１２１ａを略完全に被覆して、残菜フィルタ３１の枠部材３１ａ、即ち残菜フィルタ３１の周縁部が、貯水部１２１に接触する。このため、洗浄水は、残菜フィルタ３１を迂回して下流側へ流入することが抑制される。
【０１１８】
食器洗い機１０２の使用者は、洗浄槽１２の側壁の一部に設けられている図示しない扉を開放して洗浄及び乾燥が終了した食器Ｄ，Ｄ，…を取り出し、更に、摘持部３３を摘持して残菜フィルタ３１，３２を取り外す。このとき、残菜フィルタ３２が残菜フィルタ３１に接近する方向に回動して残菜フィルタ３１に重なり、残菜フィルタ３１，３２はコンパクトになる。
このため、使用者は残菜フィルタ３１，３２を食器洗い機１０２内部から取り出しやすい。同様の理由で、使用者は残菜フィルタ３１，３２を食器洗い機１０２内部へ取り付けやすい。
【０１１９】
使用者は、清掃した残菜フィルタ３１，３２を、摘持部３３を摘持して、洗浄槽１２の底部に取り付ける。このとき、残菜フィルタ３２が残菜フィルタ３１から離隔する方向に回動して、残菜フィルタ３１，３２夫々が所定の位置に容易かつ正確に配置される。
【０１２０】
以上のような食器洗い機１０２は、残菜フィルタ３１，３２の着脱の作業性が向上されている。
【０１２１】
なお、残菜フィルタ３２と回転軸部３４との結合構造はヒンジ結合に限るものではない。また、残菜フィルタ３１及び／又は摘持部３３も、回転軸部３４を中心に回動可能に設けてもよい。
【０１２２】
実施の形態  ３．
図６は、本発明の実施の形態３に係る食器洗い機１０３の略示側面図である。
本実施の形態の食器洗い機１０３は、実施の形態１の食器洗い機１０１と略同様の構成である。以下では、食器洗い機１０３の食器洗い機１０１とは異なる部分に関して主に説明し、その他、実施の形態１に対応する部分には同一符号を付してそれらの説明を省略する。
【０１２３】
洗浄槽１２の側部の一部、具体的には正面部に、洗浄槽１２を開閉する扉１９が設けてある。この扉１９は、上下方向にスライド式に開閉する構造でもよく、下部を回動中心として、上部を手前側に倒すことによって引き開ける構造でもよい。
食器洗い機１０３は、食器洗い機１０１が備える残菜フィルタ２１，２２と略同様の第１及び第２の残菜フィルタである残菜フィルタ２１，２２に加えて、もう１枚の第２の残菜フィルタとしての残菜フィルタ２４を備える。
【０１２４】
残菜フィルタ２４は、扉１９の水平方向の長さに略等しい長さを長手方向とし、短手方向が凹面状の矩形板状であり、扉１９の内面に、長手方向を扉１９の水平方向に沿わせて着脱可能に配してある。
残菜フィルタ２４の長手方向一辺部は、扉１９の内面に接触しており、この一辺部を除く三辺部は、扉１９を含む洗浄槽１２に接触していない。
残菜フィルタ２４の配置高さは、食器籠１１の配置高さより低い位置、更に好ましくは、洗浄ノズル１３，１３の配置高さより低い位置である。即ち、洗浄水の循環経路の食器籠１１の配置位置よりも下流側である。
【０１２５】
残菜フィルタ２４のメッシュサイズは残菜フィルタ２２のメッシュサイズより更に細かい。
また、残菜フィルタ２４は、貯水部１２１の外部に配されているため、残菜フィルタ２４の全部が最高水位Ｗ０より高い位置に配されており、貯水部１２１に貯留されている洗浄水に水没することはない。
【０１２６】
このような残菜フィルタ２４は、洗浄水の循環経路の残菜フィルタ２１，２２の配置位置よりも上流側に配され、残菜フィルタ２１，２２へ流入する洗浄水の一部、具体的には扉１９内面へ吹き飛ばされて、扉１９内面に沿って流れ落ちてきた洗浄水を濾過し、この洗浄水に含まれている残菜を濾し取る。
このため、残菜フィルタ２１，２２が濾し取るべき残菜が更に軽減される。
残菜フィルタ２４が濾し取った残菜は、残菜フィルタ２４が全く水没しないため、残菜フィルタ２４外部へ流出することが抑制されている。
【０１２７】
また、扉１９内面へ吹き飛ばされた軽く細かい残菜を残菜フィルタ２４で確実に濾し取って、このような残菜が洗浄ポンプ１４に吸入されることを抑制する。
ここで、残菜フィルタ２４の配置位置は洗浄ポンプ１４の吸入ホース１４２の吸入口から充分に離隔しているため、フィルタの目が細かい残菜フィルタ２４が洗浄水の吸い込みを阻害することはない。
【０１２８】
さて、食器洗い機１０３の使用者は、食器Ｄ，Ｄ，…の洗浄工程、すすぎ工程及び乾燥の完了後、扉１９を開放して残菜フィルタ２４を容易に取り外し、残菜フィルタ２４を清掃して、清掃した残菜フィルタ２４を容易に扉１９に取り付ける。
【０１２９】
ところで、制御装置１６は、乾燥工程において送風ファン１８を作動させて、図示しない吸気口から外気を吸入し、送風ダクト１８１，１８２を介して洗浄槽１２内部へ送風しつつヒータ部１５で加熱する。加熱された外気は、食器籠１１、食器Ｄ，Ｄ，…等の隙間を通り抜けて、洗浄槽１２上部に設けられた排気口１８０から食器洗い機１０３外部へ排出される。
このため、洗浄された食器Ｄ，Ｄ，…の乾燥が促進される。
【０１３０】
以上のような食器洗い機１０３は、３枚の残菜フィルタ２１，２２，２４を備えることによって、洗浄水の濾過効率を更に向上させつつ、残菜フィルタ２１，２２，２４の目詰まりによって洗浄水の循環が阻害されることを更に抑制している。
【０１３１】
なお、残菜フィルタ２４を、扉１９以外の洗浄槽１２の側壁内面に設けてもよいが、扉１９に設けてある方が残菜フィルタ２４を取り外し易い。また、一般に扉１９内面近傍には食器籠１１、洗浄ノズル１３，１３，１６等の他部材が配置されないため、広い範囲に残菜フィルタ２４を設置することが可能となる。このため、残菜フィルタ２４の濾過面積を増大させて、多量の残菜を濾し取ることが可能となる。
【０１３２】
また、洗浄槽１２以外の場所、例えば食器籠１１に第２の残菜フィルタを設けてもよい。この場合、この残菜フィルタの周縁部の少なくとも一部が食器籠１１に接触することが望ましい。
ただし、洗浄ノズル１３，１３，１６からの洗浄水の噴射を妨げない位置に設置する必要があり、例えば洗浄水が食器Ｄ，Ｄ，…に到達することを阻害する位置、又は洗浄水の噴射によって残菜フィルタから、この残菜フィルタが濾し取った残菜が残菜フィルタ外部へ吹き飛ばされる位置には設置しない。
【０１３３】
更に、残菜フィルタ２１，２４のみを設け、残菜フィルタ２２を設けない構成でもよい。
【図面の簡単な説明】
【０１３４】
【図１】本発明の実施の形態１に係る食器洗い機の略示正面図である。
【図２】本発明の実施の形態１に係る食器洗い機が備える洗浄槽底部の略示正面図である。
【図３】本発明の実施の形態１に係る食器洗い機が備える洗浄槽底部の略示側面図である。
【図４】本発明の実施の形態２に係る食器洗い機が備える洗浄槽底部の略示斜視図である。
【図５】本発明の実施の形態２に係る食器洗い機が備える残菜フィルタの略示側面図である。
【図６】本発明の実施の形態３に係る食器洗い機の略示側面図である。
【図７】従来の食器洗い機が備える洗浄槽底部の略示正面図である。
【図８】従来の食器洗い機が備える洗浄槽底部の略示側面図である。
【符号の説明】
【０１３５】
１０１，１０２，１０３  食器洗い機
１１  食器籠
１２  洗浄槽
１３  洗浄ノズル
１４  洗浄ポンプ
１９  扉
２１，３１  残菜フィルタ（第１の残菜フィルタ）
２２，３２，２４  残菜フィルタ（第２の残菜フィルタ）
２３，３３  摘持部
３４  回転軸部
Ｄ    食器
Ｗ０  最高水位
【図１】
2008011998.tif 000003
【図２】
2008011998.tif 000004
【図３】
2008011998.tif 000005
【図４】
2008011998.tif 000006
【図５】
2008011998.tif 000007
【図６】
2008011998.tif 000008
【図７】
2008011998.tif 000009
【図８】
2008011998.tif 000010